(57)【要約】  本発明の実施形態は、通信の分野に関し、光分岐アセンブリの機能多様性を実装するために使用される、光分岐アセンブリ、受動光ネットワーク、および光送信方法を提供する。光分岐アセンブリは、基板と、基板の表面に配設される光出力分配領域とを含み、光出力分配領域は、第1の光導波路、複数の第2の光導波路、および少なくとも1つの第3の光導波路に結合され、第1の光導波路を介して、第2の光導波路の各々および少なくとも1つの第3の光導波路に送信される光信号の光出力を分配するために使用され、第3の光導波路が第1の光導波路に結合され、反射性材料が第3の光導波路上に配設され、光出力分配領域からの光信号を反射性材料が反射した後、光信号が第3の光導波路を介して第1の光導波路に送信される。本発明の実施形態は、光信号が反射されるシナリオに適用可能である。
2016516218.tif 000002
【特許請求の範囲】
【請求項１】
基板と、前記基板の表面に配設される光出力分配領域と
を備え、
前記光出力分配領域が、第1の光導波路、複数の第2の光導波路、および少なくとも1つの第3の光導波路に結合され、前記第1の光導波路を介して、前記第2の光導波路の各々および前記少なくとも1つの第3の光導波路に送信される光信号の光出力を分配するために使用され、
前記第3の光導波路が前記第1の光導波路に結合され、反射性材料が前記第3の光導波路上に配設され、前記光出力分配領域からの前記光信号を前記反射性材料が反射した後、前記光信号が前記第3の光導波路を介して前記第1の光導波路に送信される、光分岐アセンブリ。
【請求項２】
前記第2の光導波路のうちの任意の1つを介して送信される前記光信号の光出力が、前記第3の光導波路を介して送信される前記光信号の光出力と異なる、請求項1に記載の光分岐アセンブリ。
【請求項３】
前記第3の光導波路が前記基板の前記表面に配設され、前記第3の光導波路が、前記第1の光導波路に結合される、請求項1または2に記載の光分岐アセンブリ。
【請求項４】
前記光出力分配領域がY字型の光電力分岐導波路要素または配列型導波路格子を備える、請求項1から3のいずれか一項に記載の光分岐アセンブリ。
【請求項５】
光回線終端装置、光分配ネットワーク、および少なくとも1つの光ネットワークユニットを備え、前記光回線終端装置がフィーダファイバを使用することにより前記光分配ネットワークに接続され、前記光分配ネットワークがドロップファイバを使用することにより前記少なくとも1つの光ネットワークユニットに接続され、前記光分配ネットワークが請求項1から4に記載のいずれかの光分岐アセンブリを備える、受動光ネットワーク。
【請求項６】
検出デバイスをさらに備え、前記検出デバイスが、前記光分配ネットワークと前記光回線終端装置の間の接続の一方の側に配設され、前記検出デバイスが、前記光分岐アセンブリにより反射される光信号を受信して、前記反射された光信号を検出するように構成される、請求項5に記載の受動光ネットワーク。
【請求項７】
プロセッサを備え、前記プロセッサにより実行される信号処理アクションが、
フィーダファイバを介して送信される第1の光信号を受信するステップと、
前記フィーダファイバを介して送信される前記第1の光信号を複数の第2の光信号および少なくとも1つの第3の光信号に分割するステップと、
前記第3の光信号を前記フィーダファイバに反射するステップと、
前記第2の光信号の各々を各ユーザ端末に送信するステップと
を含む、光分岐アセンブリ。
【請求項８】
前記第2の光信号の光出力が、前記第3の光信号の光出力と異なる、請求項7に記載の光分岐アセンブリ。
【請求項９】
前記第3の光信号の前記光出力が、前記第2の光信号のいずれか1つの光出力よりも低い、請求項7または8に記載の光分岐アセンブリ。
【請求項１０】
フィーダファイバを介して送信される第1の光信号を受信するステップと、
前記フィーダファイバを介して送信される前記第1の光信号を複数の第2の光信号および少なくとも1つの第3の光信号に分割するステップと、
前記第3の光信号を前記フィーダファイバに反射するステップと、
前記第2の光信号の各々を各ユーザ端末に送信するステップと
を含む、光送信方法。
【請求項１１】
前記第2の光信号の光出力が、前記第3の光信号の光出力と異なる、請求項10に記載の光送信方法。
【請求項１２】
前記第3の光信号の前記光出力が、前記第2の光信号のいずれか1つの光出力よりも低い、請求項10または11に記載の光送信方法。
【発明の詳細な説明】
【技術分野】
【０００１】
本出願は、2013年5月24日に中国特許庁に出願され、「OPTICAL BRANCHING ASSEMBLY, PASSIVE OPTICAL NETWORK, AND OPTICAL TRANSMISSION METHOD」と題し、その全体が参照により本明細書に組み込まれる、中国特許出願第201310198671.9号への優先権を主張する。
【０００２】
本発明は、通信の分野に関し、特に、光分岐アセンブリ、受動光ネットワーク、および光送信方法に関する。
【背景技術】
【０００３】
従来技術では、受動光ネットワークは、光回線終端装置(Optical Line Terminal、OLT)、光スプリッタ、および複数の光ネットワークユニット(Optical Network Unit、ONU)を含む。光スプリッタは、フィーダファイバを使用することにより光回線終端装置に接続され、また光スプリッタは、ドロップファイバを使用することにより複数の光ネットワークユニットに接続される。
【０００４】
光スプリッタは、ODN(Optical Distribution Network、光分配ネットワーク)リンクにおける重要な受動部品である。受動光ネットワークでは、光スプリッタは、フィーダファイバを介して光回線終端装置により送信された光信号を受信し、ドロップファイバを介して光ネットワークユニットの各々に光信号を送信することができ、またはドロップファイバを介して光ネットワークユニットの各々から送信された光信号を受信し、フィーダファイバを介して光回線終端装置に光信号を送信することができる。
【０００５】
受動光ネットワークでは、光スプリッタの機能が、光回線終端装置と受動光ネットワーク中にある光ネットワークユニットとの間の光信号送信を完成するので、光スプリッタの機能は、比較的単一の様式で実装される。
【発明の概要】
【課題を解決するための手段】
【０００６】
本発明の実施形態は、光分岐アセンブリの機能多様性を実装するために使用される、光分岐アセンブリ、受動光ネットワーク、および光送信方法を提供する。
【０００７】
上記の目的を達成するため、本発明の実施形態は、以下の技術的な解決策を使用する。
【０００８】
第1の態様によれば、本発明の実施形態は、基板と、基板の表面に配設される光出力分配領域とを含み、光出力分配領域は、第1の光導波路、複数の第2の光導波路、および少なくとも1つの第3の光導波路に結合され、第1の光導波路を介して、第2の光導波路の各々および少なくとも1つの第3の光導波路に送信される光信号の光出力を分配するために使用され、第3の光導波路が第1の光導波路に結合され、反射性材料が第3の光導波路上に配設され、光出力分配領域からの光信号を反射性材料が反射した後、光信号が第3の光導波路を介して第1の光導波路に送信される、光分岐アセンブリを提供する。
【０００９】
第1の態様の第1の可能な実装様式では、第2の光導波路のうちの任意の1つを介して送信される光信号の光出力は、第3の光導波路を介して送信される光信号の光出力と異なる。
【００１０】
第1の態様または第1の態様の第1の可能な実装様式を参照して、第1の態様の第2の可能な実装様式では、第3の光導波路が基板の表面に配設され、第3の光導波路が第1の光導波路に結合される。
【００１１】
第1の態様または第1の態様の第1または第2の可能な実装様式を参照して、第1の態様の第3の可能な実装様式では、光出力分配領域は、Y字型の光電力分岐導波路要素または配列型導波路格子を含む。
【００１２】
第2の態様によれば、本発明の実施形態は受動光ネットワークを提供し、受動光ネットワークは、光回線終端装置と、光分配ネットワークと、少なくとも1つの光ネットワークユニットとを含み、光回線終端装置がフィーダファイバを使用することにより光分配ネットワークに接続され、光分配ネットワークがドロップファイバを使用することにより少なくとも1つの光ネットワークユニットに接続され、光分配ネットワークが上記の実施形態に従う光分岐アセンブリを含む。
【００１３】
第2の態様の第1の可能な実装様式では、受動光ネットワークは、検出デバイスをさらに含み、検出デバイスは、光分配ネットワークと光回線終端装置の間の接続の一方の側に配設され、検出デバイスは、光分岐アセンブリにより反射される光信号を受信して、反射された光信号を検出するように構成される。
【００１４】
第3の態様によれば、本発明の実施形態は、光分岐アセンブリを提供し、光分岐アセンブリは、プロセッサを含み、プロセッサにより実行される信号処理アクションが、フィーダファイバを介して送信される第1の光信号を受信するステップと、フィーダファイバを介して送信される第1の光信号を複数の第2の光信号および少なくとも1つの第3の光信号に分割するステップと、第3の光信号をフィーダファイバに反射するステップと、第2の光信号の各々を各ユーザ端末に送信するステップとを含む。
【００１５】
第3の態様の第1の可能な実装様式では、第2の光信号の光出力は、第3の光信号の光出力と異なる。
【００１６】
第3の態様または第3の態様の第1の可能な実装様式を参照して、第3の態様の第2の可能な実装様式では、第3の光信号の光出力は、第2の光信号のいずれか1つの光出力よりも低い。
【００１７】
第4の態様によれば、本発明の実施形態は、フィーダファイバを介して送信される第1の光信号を受信するステップと、フィーダファイバを介して送信される第1の光信号を複数の第2の光信号および少なくとも1つの第3の光信号に分割するステップと、第3の光信号をフィーダファイバに反射するステップと、第2の光信号の各々を各ユーザ端末に送信するステップとを含む、光送信方法を提供する。
【００１８】
第4の態様の第1の可能な実装様式では、第2の光信号の光出力は、第3の光信号の光出力と異なる。
【００１９】
第4の態様または第4の態様の第1の可能な実装様式を参照して、第4の態様の第2の可能な実装様式では、第3の光信号の光出力は、第2の光信号のいずれか1つの光出力よりも低い。
【００２０】
本発明の実施形態は、光分岐アセンブリ、受動光ネットワーク、および光送信方法を提供し、光分岐アセンブリは、基板と、光出力分配領域と、第1の光導波路と、複数の第2の光導波路と、少なくとも1つの光導波路とを含み、反射性材料が第3の光導波路上に配設される。このようにして、光信号が第1の光導波路を介して光出力分配領域に送信された後、光出力分配領域は、光信号の光出力の部分を少なくとも1つの第3の光導波路に分配し、その結果、光信号は、反射性材料を使用することにより、少なくとも1つの第3の光導波路を介して第1の光導波路に送信される。加えて、光信号は、通常の送信サービスを確保するために、第2の光導波路を介してリボンファイバに送信され、光ネットワークユニットにさらに送信される。光分岐アセンブリは、光信号を送信することができるだけでなく、光信号の部分を反射することもできる、コンパクトな構造を有し、その結果、システムは、反射される光信号に対応する処理を実施し、そのことにより、光分岐アセンブリの機能多様性を実装することができる。
【００２１】
本発明の実施形態、または従来技術における技術的な解決策をより明瞭に記載するため、以下では、実施形態または従来技術を記載するために必要な添付図面を簡潔に導入する。明らかに、以下の記載中の添付図面は、本発明の、単に一部の実施形態を示し、当業者は、創造的な努力なしに、これらの添付図面から他の図面をやはり導出することができる。
【図面の簡単な説明】
【００２２】
【図１】本発明の実施形態に従う、光分岐アセンブリの概略構造図である。
【図２】本発明の実施形態に従う、別の光分岐アセンブリの概略構造図である。
【図３】本発明の実施形態に従う、別の光分岐アセンブリの概略構造図である。
【図４】本発明の実施形態に従う、受動光ネットワークの概略構造図である。
【図５】本発明の実施形態に従う、別の受動光ネットワークの概略構造図である。
【図６】本発明の実施形態に従う、光分岐アセンブリのプロセッサにより実行されるステップの概略図である。
【図７】本発明の実施形態に従う、光送信方法の概略フローチャートである。
【発明を実施するための形態】
【００２３】
以下は、本発明の実施形態中の添付図面を参照して、本発明の実施形態中の技術的な解決策を、明瞭および完全に記載する。明らかに、記載される実施形態は、本発明の実施形態の単に一部でありすべてではない。創造的な努力なしに、本発明の実施形態に基づいて当業者により得られるすべての他の実施形態は、本発明の保護範囲に入るものとする。
【００２４】
本発明の実施形態は、図1に示されるように、基板と、基板の表面に配設される光出力分配領域と、第1の光導波路101と、複数の光導波路102と、少なくとも1つの第3の光導波路103とを含む、光分岐アセンブリを提供する。
【００２５】
光出力分配領域は、第1の光導波路101、複数の第2の光導波路102、および少なくとも1つの第3の光導波路103に結合され、第1の光導波路101を介して第2の光導波路102の各々および少なくとも1つの第3の光導波路103に送信された光信号の光出力を分配するために使用される。
【００２６】
第3の光導波路103が第1の光導波路101に結合されて、反射性材料が第3の光導波路103上に配設されており、反射性材料が光出力分配領域からの光信号を反射した後、光信号は、第3の光導波路103を介して第1の光導波路101に送信される。
【００２７】
このようにして、光分岐アセンブリの第3の光導波路上に配設される反射性材料を使用することにより、光出力分配領域からの光信号は、反射され、次いで、第3の光導波路を介して第1の光導波路に送信される。したがって、光信号は、第1の光導波路を介して、中央局端における検出デバイスに送信されて、通常のリンク通信に影響を及ぼすことなく光リンクへの監視を実装し、それにより監視効率を改善することができる。
【００２８】
さらに、第2の光導波路のうちの任意の1つを介して送信される光信号の光出力は、第3の光導波路を介して送信される光信号の光出力と異なる。
【００２９】
好ましくは、第3の光導波路を介して送信される光信号の光出力は、第2の光導波路のうちの任意の1つを介して送信される光信号の光出力より低い。
【００３０】
具体的には、光出力分配領域は、少なくとも1つの第3の光導波路103に、第1の光導波路101を介して送信された光信号の光出力の部分を分配し、残りの出力を有する光信号を複数の第2の光導波路102に平均して分配することができる。
【００３１】
代表的には、光出力分配領域は、少なくとも1つの第3の光導波路103に、光出力の5%を有し、第1の光導波路101を介して送信された光信号からの光信号を分配し、光出力の残りの95%を有する光信号を複数の第2の光導波路102に平均して分配する。たとえば、光分岐アセンブリに8つの第2の光導波路102があり、光出力の95%を有する光信号が8つの第2の光導波路102に平均して分配される。このようにして、少なくとも1つの第3の光導波路103が、反射性材料を使用することにより、第1の光導波路101に光出力の5%を有する受信した光信号を反射し、その結果、5%の光信号は、第1の光導波路101を介して中央局端における検出デバイスに送信される。受信した95%の光信号は、第2の光導波路102を介して、サービス受信端に送信される。
【００３２】
光出力分配領域は、反射を実施するため、第3の光導波路に光出力の5%から20%を有する光信号を分配できること、また、反射を実施するため、第3の光導波路に光出力の別の割合を有する光信号をやはり分配できることに留意されたい。反射された光信号が中央局端に配設される検出デバイスにより検出することができる限り、さらに、検出デバイスが、反射された光信号に従って光ファイバを検出することができる限り、割合を任意に設定することができ、これは、本発明では制限されない。
【００３３】
光分岐アセンブリ中に1つの第3の光導波路がある場合、光出力分配領域は、光信号の光出力の部分を第3の光導波路に分配し、少なくとも2つの第3の光導波路がある場合、光出力分配領域は、光信号の光出力の部分を少なくとも2つの第3の光導波路に平均して分配してよく、第3の光導波路の各々に分配される光信号は、中央局端に配設される検出デバイスにより検出できることに留意されたい。
【００３４】
光分岐アセンブリでは、第2の光導波路の数は、8であってよく、16もしくは32であってよく、または別の数字であってよく、これは、本発明では制限されないことに留意されたい。
【００３５】
さらに、第1の光導波路101、第2の光導波路102、および第3の光導波路103は、単一モードファイバであってよい。
【００３６】
さらに、反射性材料が配設される第3の光導波路103は、ファイバブラッグ格子(Fiber Bragg Grating、FBG)であってよく、または、光ファイバの端部の端面上に反射性膜をコーティングすることにより作ることができ、図は、1つの状況を示す。
【００３７】
反射性膜が誘電体膜であってよく、金属膜であってよく、または別の反射性膜であってよく、これは、本発明では制限されないことに留意されたい。
【００３８】
第3の光導波路の反射機能を実装するために、第3の光導波路上に反射性材料を配設することに加えて、さらに、第3の光導波路の端面を磨いて研磨し、端面に反射機能を持たせることができることに留意されたい。本発明のこの実施形態では、反射機能を有する第3の光導波路により第1の光導波路に光信号を反射するための任意の方法は、本発明の保護範囲に入るものとし、本発明は、どのように第3の光導波路による反射機能を実装するのかについての方法に、制限を課さない。
【００３９】
第3の光導波路103上に配設される反射性材料は、光信号に全反射を実施する反射性材料であってよく、または光信号に部分反射を実施する反射性材料であってよく、これは、本発明では制限されないことに留意されたい。
【００４０】
さらに、第3の光導波路103が基板の表面に配設され、第3の光導波路103は、第1の光導波路101に結合される。
【００４１】
具体的には、第3の光導波路103が基板の表面に配設され、このことが第3の光導波路103を締結する助けとなる。
【００４２】
第3の光導波路は、さらに、別の様式で第1の光導波路に結合することができ、これは、本発明では制限されないことに留意されたい。
【００４３】
さらに、第2の光導波路102が第1の光導波路101に結合され、第1の光導波路を介して送信された光信号が、第2の光導波路102を介して送信される。
【００４４】
さらに、第2の光導波路102を基板の表面にやはり配設することができ、第2の光導波路102は、第1の光導波路101に結合することができる。
【００４５】
第2の光導波路は、さらに、別の様式で第1の光導波路に結合することができ、これは、本発明では制限されないことに留意されたい。
【００４６】
さらに、光出力分配領域は、Y字型の光電力分岐導波路要素または配列型導波路格子を含み、それによって、第1の光導波路101を介して送信される光信号を複数の第2の光導波路102および少なくとも1つの第3の光導波路103に分配する。
【００４７】
光出力分配領域は、さらに、別のタイプの光電力分岐導波路要素または配列型導波路格子を含むことができ、これは、本発明では制限されないことに留意されたい。
【００４８】
さらに、基板は、シリカ基板であってよく、シリコン基板であってよく、または別の基板であってよく、これは、本発明では制限されない。
【００４９】
さらに、本発明のこの実施形態における光分岐アセンブリは、たとえば、光スプリッタといった、受動光部品であってよい。
【００５０】
本発明のこの実施形態は、基板と、光出力分配領域と、第1の光導波路と、複数の第2の光導波路と、少なくとも1つの第3の光導波路とを含む、光分岐アセンブリを提供し、反射性材料は、第3の光導波路上に配設される。このようにして、光信号が第1の光導波路を介して光出力分配領域に送信された後、光出力分配領域は、光信号の光出力の部分を少なくとも1つの第3の光導波路に分配し、その結果、光信号は、反射性材料を使用することにより、少なくとも1つの第3の光導波路を介して第1の光導波路に送信される。加えて、光信号は、通常の送信サービスを確保するために、第2の光導波路を介してリボンファイバに送信され、光ネットワークユニットにさらに送信される。光分岐アセンブリは、光信号を送信することができるだけでなく、光信号の部分を反射することもできる、コンパクトな構造を有し、その結果、システムは、反射される光信号に対応する処理を実施し、そのことにより、光分岐アセンブリの機能多様性を実装することができる。
【００５１】
図2に示されるように、光分岐アセンブリは、第1の光ファイバ配列104、第2の光ファイバ配列105、およびリボンファイバ106をさらに含む。
【００５２】
第1の光ファイバ配列104は、第1の光導波路101を複数の第2の光導波路102および少なくとも1つの第3の光導波路103に整合するように構成される。
【００５３】
第2の光ファイバ配列105は、第2の光導波路102をリボンファイバ106に整合するように構成される。
【００５４】
リボンファイバ106は、第2の光導波路を介して送信される光信号を送信するように構成される。
【００５５】
さらに、リボンファイバ106の数および第2の光導波路102の数が同じである、すなわち、第2の光導波路102の各々は、第2の光導波路102に対応する1つのリボンファイバ106を有する。
【００５６】
さらに、図3に示されるように、第2の光ファイバ配列105は、V字型溝1051およびカバー1052をさらに含む。
【００５７】
またさらに、第3の光導波路103は、V字型溝1051とカバー1052の間に配置される。
【００５８】
代替的に、第3の光導波路103は、V字型溝1051とカバー1052の外側に配置される。
【００５９】
本発明のこの実施形態は、光分岐アセンブリを提供し、光信号が第1の光導波路を介して光出力分配領域に送信された後、光出力分配領域は、光信号の光出力の部分を少なくとも1つの第3の光導波路に分配し、その結果、光信号は、反射性材料を使用することにより、少なくとも1つの第3の光導波路を介して第1の光導波路に送信される。加えて、光信号は、通常の送信サービスを確保するために、第2の光導波路を介してリボンファイバに送信され、光ネットワークユニットにさらに送信される。光分岐アセンブリは、光信号を送信することができるだけでなく、光信号の部分を反射することもできる、コンパクトな構造を有し、その結果、システムは、反射される光信号に対応する処理を実施し、そのことにより、光分岐アセンブリの機能多様性を実装することができる。
【００６０】
図4に示されるように、図4は、本発明の実施形態に従って、光出力検出策を適用できる、受動光ネットワークの概略構造図である。受動光ネットワークは、光回線終端装置401、光分配ネットワーク402、および少なくとも1つの光ネットワークユニット403を含む。
【００６１】
光回線終端装置401がフィーダファイバ404を使用することにより光分配ネットワーク402に接続され、光分配ネットワーク402がドロップファイバ405を使用することにより少なくとも1つの光ネットワークユニット403に接続されており、ここで、光分配ネットワーク402が光分岐アセンブリを含み、光分岐アセンブリが上記の実施形態に記載された光分岐アセンブリである。
【００６２】
具体的には、光回線終端装置401(Optical Line Terminal、OLT)は、ファイバ中継線上の終端デバイスに接続するように構成される。
【００６３】
光ネットワークユニット403(Optical Network Unit、ONU)は、光ファイバによりアクセスされる端末デバイスであり、ユーザ側インターフェースを提供するように構成される。
【００６４】
フィーダファイバ404は、光回線終端装置401と光分配ネットワーク402を接続するように構成される。
【００６５】
さらに、光回線終端装置401は、ポイントツーマルチポイント形式で光分配ネットワーク402を使用することにより複数の光ネットワークユニット403に接続され、ここで、光回線終端装置401から光ネットワークユニット403への方向がダウンリンク方向として規定され、光ネットワークユニット403から光回線終端装置401への方向がアップリンク方向である。
【００６６】
受動光ネットワークが、光回線終端装置401と光ネットワークユニット403の間のデータ分配を実装するのに、何ら能動部品を必要としない通信ネットワークであってよいことに留意されたい。
【００６７】
さらに、光分岐アセンブリは、たとえば、光スプリッタといった、受動光部品である。
【００６８】
さらに、光分岐アセンブリは、基板および基板の表面に配設される光出力分配領域を含む。光出力分配領域は、第1の光導波路、複数の第2の光導波路、および少なくとも1つの第3の光導波路に結合され、第1の光導波路を介して第2の光導波路の各々および少なくとも1つの第3の光導波路に送信された光信号の光出力を分配するために使用され、第3の光導波路は、第1の光導波路に結合される。
【００６９】
反射性材料が第3の光導波路上に配設されており、反射性材料が光出力分配領域からの光信号を反射した後、光信号は、第3の光導波路を介して第1の光導波路に送信される。
【００７０】
さらに、第2の光導波路のうちの任意の1つを介して送信される光信号の光出力は、第3の光導波路を介して送信される光信号の光出力と異なる。
【００７１】
さらに、第3の光導波路が基板の表面に配設され、第3の光導波路は、第1の光導波路に結合される。
【００７２】
さらに、光出力分配領域は、Y字型の光電力分岐導波路要素または配列型導波路格子を含む。
【００７３】
さらに、光分岐アセンブリは、第1の光ファイバ配列、第2の光ファイバ配列、およびリボンファイバをさらに含む。
【００７４】
第1の光ファイバ配列は、第1の光導波路を複数の第2の光導波路および少なくとも1つの第3の光導波路に整合するように構成され、第2の光ファイバ配列は、第2の光導波路をリボンファイバに整合するように構成され、リボンファイバは、第2の光導波路を介して送信される光信号を送信するように構成される。
【００７５】
さらに、光分配ネットワーク402が、ドロップファイバ405を使用することにより少なくとも1つの光ネットワークユニット403に接続されることが、以下を含む。
光分配ネットワーク402が、光分岐アセンブリのリボンファイバを使用することにより、ドロップファイバ405に接続され、ドロップファイバ405を使用することにより、少なくとも1つの光ネットワークユニット403に接続される。
【００７６】
光分配ネットワーク402が光分岐アセンブリのリボンファイバ中のファイバを使用することによりドロップファイバ405に接続されており、ここで、光分岐アセンブリのリボンファイバ中のファイバは、ドロップファイバ405に別個に接続される、すなわち、光分岐アセンブリのリボンファイバ中のファイバは、ドロップファイバ405と一対一対応であることに留意されたい。
【００７７】
光分配ネットワークが複数の光分岐アセンブリを含んでよく、または1つの光分岐アセンブリを含んでよく、これは、本発明では制限されないことに留意されたい。
【００７８】
このようにして、受動光ネットワークで、光信号の部分を、光分配ネットワーク中の光分岐アセンブリを使用することによりフィーダファイバに反射することができ、したがって、反射された光信号を使用することによって関連する処理を実施し、それにより、光分岐アセンブリの機能多様性を実装して、光分岐アセンブリの利用率を増加させることができる。
【００７９】
さらに、図5に示されるように、受動光ネットワークは、検出デバイス406をさらに含む。
【００８０】
検出デバイス406は、光分配ネットワーク402と光回線終端装置401の間の接続の一方の側に配設され、検出デバイスは、光分岐アセンブリにより反射される光信号を受信して、反射された光信号を検出するように構成される。
【００８１】
検出デバイスが光分配ネットワークと光回線終端装置の間の接続の一方の側に配設されることが、検出デバイスを光回線終端装置と光分配ネットワークの間に配設できること、または検出デバイスを光回線終端装置の位置に配設できることを指しており、図は単に1つの状況を示すことに留意されたい。
【００８２】
さらに、検出デバイス406は、検出結果に従って、光リンクが異常であるかどうかを学習するようにさらに構成される。
【００８３】
本発明のこの実施形態では、受動光ネットワークで、検出デバイスは、WDM(wavelength division multiplexer:波長分割マルチプレクサ)を使用することにより受動光ネットワークに接続することができ、図5に示されるように、検出デバイスは、光時間領域反射測定器(Optical Time Domain Reflectometer、OTDR)であってよいことに留意されたい。
【００８４】
受動光ネットワークでは、光信号の部分を、光分配ネットワーク中の光分岐アセンブリを使用することによりフィーダファイバに反射することができ、したがって、光信号の部分をフィーダファイバを介して検出デバイスに送信することができ、その結果、検出デバイスが光信号を受信して、関連する監視をさらに実施することができる。このようにして、フィーダファイバに反射される光信号の出力が比較的低く、フィーダファイバにより実施される通常のサービス通信が影響されないので、したがって、光分岐アセンブリの前に光リンクへの監視を実装することができ、さらに、光リンクが異常であるとき、検出デバイスが監視を介して異常を発見することができ、受動光ネットワークにコンパクトな構造を持たせることができる。さらに、本発明のこの実施形態では、検出デバイスにより光信号上で実施される検出は、光ネットワークユニット中のサービスポートのリソースを占有せず、したがって、受動光ネットワークの監視コストを減少させることができ、監視効率を改善することができる。
【００８５】
本発明のこの実施形態は、受動光ネットワークを提供し、光回線終端装置がフィーダファイバを介して光分配ネットワークに光信号を送信し、光分配ネットワーク中の光分岐アセンブリが、第3の光導波路上に配設される反射性材料を使用することにより、フィーダファイバに光信号の光出力の部分を反射し、その結果、光信号は、フィーダファイバを介して中央局端における検出デバイスに送信される。光分配ネットワーク中の光分岐アセンブリは、第2の光導波路を介してリボンファイバに残りの出力を有する光信号を送信し、光信号は、リボンファイバを介してドロップファイバにさらに送信され、ドロップファイバを介して光ネットワークユニットに送信される。このようにして、光分配ネットワーク中の光分岐アセンブリが、少なくとも1つの第3の光導波路に光信号の光出力の部分を分配し、その結果、光信号は、反射性材料を使用することにより、少なくとも1つの第3の光導波路を介してフィーダファイバに送信される。加えて、光信号は、通常の送信サービスを確保するために、第2の光導波路を介してリボンファイバに送信され、光ネットワークユニットにさらに送信される。光分岐アセンブリは、光信号を送信することができるだけでなく、光信号の部分を反射することもできる、コンパクトな構造を有し、その結果、システムは、反射される光信号に対応する処理を実施し、そのことにより、光分岐アセンブリの機能多様性を実装することができる。
【００８６】
本発明の実施形態は、光分岐アセンブリを提供し、光分岐アセンブリは、プロセッサを含み、プロセッサにより実行される信号処理アクションが、図6に示されるように、以下を含む。
【００８７】
601:  フィーダファイバを介して送信される第1の光信号を受信する。
【００８８】
602:  フィーダファイバを介して送信される第1の光信号を複数の第2の光信号および少なくとも1つの第3の光信号に分割する。
【００８９】
第2の光信号の光出力は、第3の光信号の光出力と異なる。
【００９０】
さらに、第3の光信号の光出力は、第2の光信号のいずれか1つの光出力よりも低い。
【００９１】
具体的には、フィーダファイバから第1の光信号を受信した後、プロセッサが、第1の光信号を少なくとも1つの第3の光信号および複数の第2の光信号に分割する。ここで、第2の光信号の各々の光出力は等しい。
【００９２】
代表的には、プロセッサは、第1の光信号の光出力の5%に対応する光信号が、少なくとも1つの第3の光信号であることを決定し、光出力の残りの95%を有する第1の光信号が複数の第2の光信号であることを決定する。
【００９３】
プロセッサは、反射を実施するため、少なくとも1つの第3の光信号として光出力の5%から20%を有する光信号を分配できること、また、反射を実施するため、少なくとも1つの第3の光信号として光出力の別の割合を有する光信号をやはり分配できることに留意されたい。反射された光信号が中央局端に配設される検出デバイスにより検出することができる限り、さらに、検出デバイスが、反射された光信号に従って光ファイバを検出することができる限り、割合を任意に設定することができ、これは、本発明では制限されない。
【００９４】
603:  第3の光信号をフィーダファイバに反射し、第2の光信号の各々を各ユーザ端末に送信する。
【００９５】
具体的には、第1の光信号を少なくとも1つの第3の光信号および複数の第2の光信号に分割した後、プロセッサは、少なくとも1つの第3の光信号をフィーダファイバに反射し、その結果、第3の光信号がフィーダファイバを介して中央局端における検出デバイスに送信され、したがって、検出デバイスは、反射された第3の光信号に従って光ファイバを検出することができる。
【００９６】
このようにして、第3の光信号がフィーダファイバに反射され、第3の光信号は、フィーダファイバを介して中央局端における検出デバイスに送信されて、通常のリンク通信に影響を及ぼすことなく光リンクへの監視を実装し、それにより監視効率を改善することができる。
【００９７】
さらに、本発明のこの実施形態における光分岐アセンブリは、たとえば、光スプリッタといった、受動光部品であってよい。
【００９８】
本発明の実施形態は光分岐アセンブリを提供し、光分岐アセンブリは、フィーダファイバを介して送信された受信した第1の光信号を少なくとも1つの第3の光信号および複数の第2の光信号に分割し、少なくとも1つの第3の光信号をフィーダファイバに反射し、第2の光信号の各々を各ユーザ端末に送信する。このようにして、プロセッサは、第1の光信号を第3の光信号に分割し、第3の光信号をフィーダファイバに反射する。加えて、第2の光信号が各ユーザ端末に送信される。光分岐アセンブリは、光信号を送信することができるだけでなく、光信号の部分を反射することもできる、コンパクトな構造を有し、その結果、システムは、反射される光信号に対応する処理を実施し、そのことにより、光分岐アセンブリの機能多様性を実装することができる。
【００９９】
本発明の実施形態は、光送信方法を提供し、図7に示されるように、以下を含む。
【０１００】
701:  フィーダファイバを介して送信される第1の光信号を受信する。
【０１０１】
702:  フィーダファイバを介して送信される第1の光信号を複数の第2の光信号および少なくとも1つの第3の光信号に分割する。
【０１０２】
第2の光信号の光出力は、第3の光信号の光出力と異なる。
【０１０３】
さらに、第3の光信号の光出力は、第2の光信号のいずれか1つの光出力よりも低い。
【０１０４】
具体的には、フィーダファイバから第1の光信号を受信した後、光分岐アセンブリが、第1の光信号を少なくとも1つの第3の光信号および複数の第2の光信号に分割する。ここで、第2の光信号の各々の光出力は等しい。
【０１０５】
代表的には、光分岐アセンブリは、第1の光信号の光出力の5%に対応する光信号が、少なくとも1つの第3の光信号であることを決定し、光出力の残りの95%を有する第1の光信号が複数の第2の光信号であることを決定する。
【０１０６】
光分岐アセンブリは、反射を実施するため、少なくとも1つの第3の光信号として光出力の5%から20%を有する光信号を分配できること、また、反射を実施するため、少なくとも1つの第3の光信号として光出力の別の割合を有する光信号をやはり分配できることに留意されたい。反射された光信号が中央局端に配設される検出デバイスにより検出することができる限り、さらに、検出デバイスが、反射された光信号に従って光ファイバを検出することができる限り、割合を任意に設定することができ、これは、本発明では制限されない。
【０１０７】
703:  第3の光信号をフィーダファイバに反射し、第2の光信号の各々を各ユーザ端末に送信する。
【０１０８】
具体的には、第1の光信号を少なくとも1つの第3の光信号および複数の第2の光信号に分割した後、光分岐アセンブリは、少なくとも1つの第3の光信号をフィーダファイバに反射し、その結果、第3の光信号がフィーダファイバを介して中央局端における検出デバイスに送信され、したがって、検出デバイスは、反射された第3の光信号に従って光ファイバを検出することができる。
【０１０９】
このようにして、第3の光信号がフィーダファイバに反射され、第3の光信号は、フィーダファイバを介して中央局端における検出デバイスに送信されて、通常のリンク通信に影響を及ぼすことなく光リンクへの監視を実装し、それにより監視効率を改善することができる。
【０１１０】
本発明のこの実施形態は光送信方法を提供し、ここでは、フィーダファイバを介して送信される受信した第1の光信号が少なくとも1つの第3の光信号および複数の第2の光信号に分割され、少なくとも1つの第3の光信号がフィーダファイバに反射され、第2の光信号の各々が各ユーザ端末に送信される。このようにして、光分岐アセンブリは、第1の光信号を第3の光信号に分割し、第3の光信号をフィーダファイバに反射する。加えて、通常の送信サービスを確保するために、第2の光信号が各ユーザ端末に送信される。上記の光送信方法を実装する光分岐アセンブリは、光信号を送信することができるだけでなく、光信号の部分を反射することもできるコンパクトな構造を有し、その結果、システムは、反射される光信号に対応する処理を実施し、そのことにより、光分岐アセンブリの機能多様性を実装することができる。
【０１１１】
上記の記載は、単に、本発明の特定の実装様式であるが、本発明の保護範囲を制限する意図はない。本発明に開示される技術範囲内の、当業者により容易に理解される変形形態または代替形態は、本発明の保護範囲内に入るものとする。したがって、本発明の保護範囲は、特許請求の範囲の保護範囲に従うものとする。
【符号の説明】
【０１１２】
101  第1の光導波路
102  第2の光導波路
103  第3の光導波路
104  第1の光ファイバ配列
105  第2の光ファイバ配列
106  リボンファイバ
401  光回線終端装置、OLT
402  光分配ネットワーク
403  光ネットワークユニット、ONU
404  フィーダファイバ
405  ドロップファイバ
406  検出デバイス
1051  V字型溝
1052  カバー
【図１】
2016516218.tif 000003
【図２】
2016516218.tif 000004
【図３】
2016516218.tif 000005
【図４】
2016516218.tif 000006
【図５】
2016516218.tif 000007
【図６】
2016516218.tif 000008
【図７】
2016516218.tif 000009
【手続補正書】
【提出日】平成27年9月18日(2015.9.18)
【手続補正１】
【補正対象書類名】特許請求の範囲
【補正対象項目名】全文
【補正方法】変更
【補正の内容】
【特許請求の範囲】
【請求項１】
基板と、前記基板の表面に配設される光出力分配領域と
を備え、
前記光出力分配領域が、第1の光導波路、複数の第2の光導波路、および少なくとも1つの第3の光導波路に結合され、前記第1の光導波路を介して、前記第2の光導波路の各々および前記少なくとも1つの第3の光導波路に送信される光信号の光出力を分配するために使用され、
前記第3の光導波路が前記第1の光導波路に結合され、反射性材料が前記第3の光導波路上に配設され、前記光出力分配領域からの前記光信号を前記反射性材料が反射した後、前記光信号が前記第3の光導波路を介して前記第1の光導波路に送信される、光分岐アセンブリ。
【請求項２】
前記第2の光導波路のうちの任意の1つを介して送信される前記光信号の光出力が、前記第3の光導波路を介して送信される前記光信号の光出力と異なる、請求項1に記載の光分岐アセンブリ。
【請求項３】
前記第3の光導波路が前記基板の前記表面に配設され、前記第3の光導波路が、前記第1の光導波路に結合される、請求項1または2に記載の光分岐アセンブリ。
【請求項４】
前記光出力分配領域がY字型の光電力分岐導波路要素または配列型導波路格子を備える、請求項1から3のいずれか一項に記載の光分岐アセンブリ。
【請求項５】
光回線終端装置、光分配ネットワーク、および少なくとも1つの光ネットワークユニットを備え、前記光回線終端装置がフィーダファイバを使用することにより前記光分配ネットワークに接続され、前記光分配ネットワークがドロップファイバを使用することにより前記少なくとも1つの光ネットワークユニットに接続され、前記光分配ネットワークが請求項1から4に記載のいずれかの光分岐アセンブリを備える、受動光ネットワーク。
【請求項６】
検出デバイスをさらに備え、前記検出デバイスが、前記光分配ネットワークと前記光回線終端装置の間の接続の一方の側に配設され、前記検出デバイスが、前記光分岐アセンブリにより反射される光信号を受信して、前記反射された光信号を検出するように構成される、請求項5に記載の受動光ネットワーク。
【請求項７】
プロセッサを備え、前記プロセッサにより実行される信号処理アクションが、
フィーダファイバを介して送信される第1の光信号を受信するステップと、
前記フィーダファイバを介して送信される前記第1の光信号を複数の第2の光信号および少なくとも1つの第3の光信号に分割するステップと、
前記第3の光信号を前記フィーダファイバに反射するステップと、
前記第2の光信号の各々を各ユーザ端末に送信するステップと
を含む、光分岐アセンブリ。
【請求項８】
前記第2の光信号の光出力が、前記第3の光信号の光出力と異なる、請求項7に記載の光分岐アセンブリ。
【請求項９】
前記第3の光信号の前記光出力が、前記第2の光信号のいずれか1つの光出力よりも低い、請求項7または8に記載の光分岐アセンブリ。
【請求項１０】
フィーダファイバを介して送信される第1の光信号を受信するステップと、
前記フィーダファイバを介して送信される前記第1の光信号を複数の第2の光信号および少なくとも1つの第3の光信号に分割するステップと、
前記第3の光信号を前記フィーダファイバに反射するステップと、
前記第2の光信号の各々を各ユーザ端末に送信するステップと
を含む、光送信方法。
【請求項１１】
前記第2の光信号の光出力が、前記第3の光信号の光出力と異なる、請求項10に記載の光送信方法。
【請求項１２】
前記第3の光信号の前記光出力が、前記第2の光信号のいずれか1つの光出力よりも低い、請求項10または11に記載の光送信方法。
【請求項１３】
記録されたプログラムを有するコンピュータ可読記憶媒体であって、前記プログラムは、請求項10から12のいずれか1項に記載のステップをコンピュータに実行させる、コンピュータ可読記憶媒体。
【国際調査報告】
2016516218.tif 000010
2016516218.tif 000011
2016516218.tif 000012
2016516218.tif 000013